【手続補正書】
【提出日】平成29年3月9日(2017.3.9)
【手続補正１】
【補正対象書類名】特許請求の範囲
【補正対象項目名】全文
【補正方法】変更
【補正の内容】
【特許請求の範囲】
【請求項１】
複数の太陽電池モジュールを直列接続して太陽電池ストリングが構成され、複数の太陽電池ストリングを並列接続して構成される太陽電池アレイを有する太陽光発電システムであって、
前記複数の太陽電池ストリングのそれぞれの電流及び電圧を計測する複数のストリング計測器と、
前記太陽電池アレイの電流及び電圧を計測するアレイ計測器と、
前記複数の太陽電池ストリングのそれぞれの電力損失を算出し、各太陽電池ストリングにおける故障を検出する計算機と、を有し、
前記計算機は、
一日におけるそれぞれの所定時間帯の日射変化量の情報を取得し、当該日射変化量が所定の日射変化量よりも小さい前記所定時間帯のうち、最小日射量を示す第１の時間帯と、最大日射量を示す第２の時間帯を抽出する処理と、
前記太陽電池アレイにおける動作電流と短絡電流との比を用いて、前記第１及び第２の時間帯における、検査対象の太陽電池ストリングの想定電力値をそれぞれ算出する処理と、
前記第１及び第２の時間帯において、前記検査対象の太陽電池ストリングの計測電力値と、前記第１の時間帯の想定電力値及び前記第２の時間帯の想定電力値とから、前記第１の時間帯における第１の電力損失、及び前記第２の時間帯における第２の電力損失を算出する処理と、
前記第１及び第２の電力損失に基づいて、前記検査対象の太陽電池ストリングの故障を検出する処理と、
を実行することを特徴とする太陽光発電システム。
【請求項２】
請求項１において、
前記計算機は、前記第１及び第２の電力損失の何れかが所定の故障判定閾値以上の場合に前記検査対象の太陽電池ストリングに故障が存在すると判定することを特徴とする太陽光発電システム。
【請求項３】
請求項２において、
前記計算機は、前記検査対象の太陽電池ストリングに故障が存在すると判定した場合、前記第１の電力損失と前記第２の電力損失の大きさの比較結果により故障要因を特定することを特徴とする太陽光発電システム。
【請求項４】
請求項１において、
前記計算機は、前記第１及び第２の時間帯における、前記検査対象の太陽電池ストリングの想定電力値をそれぞれ算出する処理において、
前記太陽電池モジュールの基準状態における短絡電流、開放電圧、動作電圧、及び動作電流のデータに基づいて、前記太陽電池アレイにおける動作電流と短絡電流との比と、前記太陽電池アレイの測定電流及び測定電圧とから、前記太陽電池アレイで想定される日射量と想定される動作温度とを算出し、
前記算出された想定される日射量と想定される動作温度を用いて、前記太陽電池のストリングの想定電力値を算出することを特徴とする太陽光発電システム。
【請求項５】
請求項２において、
前記故障判定閾値は、前記太陽電池ストリングの前記太陽電池モジュールを構成する複数のセルのうち１つのセルが故障した場合の電力損失を検知できるような値に設定されることを特徴とする太陽光発電システム。
【請求項６】
請求項１において、
前記計算機は、前記第１の時間帯の平均日射量と前記第２の時間帯の平均日射量の差がある所定の日射量閾値を越えた場合に診断を有効にすることを特徴とする太陽光発電システム。
【請求項７】
複数の太陽電池モジュールを直列接続して太陽電池ストリングが構成され、複数の太陽電池ストリングを並列接続して構成される太陽電池アレイを有する太陽光発電システムであって、
前記複数の太陽電池ストリングのそれぞれの電流を計測する複数のストリング計測器と、
前記太陽電池アレイの電流を計測するアレイ計測器と、
前記複数の太陽電池ストリングのそれぞれの電流損失を算出し、各太陽電池ストリングにおける故障を検出する計算機と、を有し、
前記計算機は、
一日におけるそれぞれの所定時間帯の日射変化量の情報を取得し、当該日射変化量が所定の日射変化量よりも小さい前記所定時間帯のうち、最小日射量を示す第１の時間帯と、最大日射量を示す第２の時間帯を抽出する処理と、
前記第１及び第２の時間帯における前記太陽電池アレイの電流値を用いて、前記第１及び第２の時間帯における、検査対象の太陽電池ストリングの基準電流値をそれぞれ算出する処理と、
前記第１及び第２の時間帯において、前記検査対象の太陽電池ストリングの計測電流値と、前記第１の時間帯の基準電流値及び前記第２の時間帯の基準電流値とから、前記第１の時間帯における第１の損失、及び前記第２の時間帯における第２の損失を算出する処理と、
前記第１及び第２の損失に基づいて、前記検査対象の太陽電池ストリングの故障を検出する処理と、
を実行することを特徴とする太陽光発電システム。
【請求項８】
請求項７において、
前記計算機は、前記第１及び第２の損失の何れかが所定の故障判定閾値以上の場合に前記検査対象の太陽電池ストリングに故障が存在すると判定することを特徴とする太陽光発電システム。
【請求項９】
請求項８において、
前記計算機は、前記検査対象の太陽電池ストリングに故障が存在すると判定した場合、前記第１の損失と前記第２の損失の大きさの比較結果により故障要因を特定することを特徴とする太陽光発電システム。
【請求項１０】
請求項７において、
前記計算機は、前記第１の時間帯の平均日射量と前記第２の時間帯の平均日射量の差がある所定の日射量閾値を越えた場合に診断を有効にすることを特徴とする太陽光発電システム。
【請求項１１】
複数の太陽電池モジュールを直列接続して太陽電池ストリングが構成され、複数の太陽電池ストリングを並列接続して構成される太陽電池アレイを有する太陽光発電システムの故障診断方法であって、
複数のストリング計測器が、前記複数の太陽電池ストリングのそれぞれの電流及び電圧を計測するステップと、
アレイ計測器が、前記太陽電池アレイの電流及び電圧を計測するステップと、
プロセッサが、一日におけるそれぞれの所定時間帯の日射変化量の情報を取得し、当該日射変化量が所定の日射変化量よりも小さい前記所定時間帯のうち、最小日射量を示す第１の時間帯と、最大日射量を示す第２の時間帯を抽出するステップと、
前記プロセッサが、前記太陽電池アレイにおける動作電流と短絡電流との比を用いて、前記第１及び第２の時間帯における、検査対象の太陽電池ストリングの想定電力値をそれぞれ算出するステップと、
前記プロセッサが、前記第１及び第２の時間帯において、前記検査対象の太陽電池ストリングの計測電力値と、前記第１の時間帯の想定電力値及び前記第２の時間帯の想定電力値とから、前記第１の時間帯における第１の電力損失、及び前記第２の時間帯における第２の電力損失を算出するステップと、
前記プロセッサが、前記第１及び第２の電力損失に基づいて、前記検査対象の太陽電池ストリングの故障を検出するステップと、
を含むことを特徴とする太陽光発電システムの故障診断方法。
【請求項１２】
請求項１１において、
前記故障を検出するステップにおいて、前記プロセッサは、前記第１及び第２の電力損失の何れかが所定の故障判定閾値以上の場合に前記検査対象の太陽電池ストリングに故障が存在すると判定することを特徴とする太陽光発電システムの故障診断方法。
【請求項１３】
請求項１２において、さらに、
前記プロセッサが、前記検査対象の太陽電池ストリングに故障が存在すると判定した場合、前記第１の電力損失と前記第２の電力損失の大きさの比較結果により故障要因を特定するステップを含むことを特徴とする太陽光発電システムの故障診断方法。
【請求項１４】
請求項１１において、
前記第１及び第２の時間帯における、前記検査対象の太陽電池ストリングの想定電力値をそれぞれ算出するステップにおいて、前記プロセッサは、（i）前記太陽電池モジュールの基準状態における短絡電流、開放電圧、動作電圧、及び動作電流のデータに基づいて、前記太陽電池アレイにおける動作電流と短絡電流との比と、前記太陽電池アレイの測定電流及び測定電圧とから、前記太陽電池アレイで想定される日射量と想定される動作温度とを算出し、（ii）前記算出された想定される日射量と想定される動作温度を用いて、前記太陽電池ストリングの想定電力値を算出することを特徴とする太陽光発電システムの故障診断方法。
【請求項１５】
請求項１１において、さらに、
前記プロセッサが、前記第１の時間帯の平均日射量と前記第２の時間帯の平均日射量の差がある所定の日射量閾値を越えた場合に診断を有効にするステップを含むことを特徴とする太陽光発電システムの故障診断方法。